(57)【要約】  本発明はパーシステントスケジューリング可能なリソースの割り当て及びリソースにおけるデータ伝送方法及び装置を開示する。前記方法では、端末のためにパーシステントスケジューリング可能なリソースのリストを生成し、前記前記パーシステントスケジューリング可能なリソースのリストには、それぞれのパーシステントスケジューリング可能なリソースと伝送時間間隔長及び/またはチャネル状況のマッピング関係が含まれ、前記パーシステントスケジューリング可能なリソースのリストを端末に送信する。パーシステントスケジューリング可能なリソースにおいてデータする場合、パーシステントスケジューリング可能なリソースのリストを決定し、データ伝送に用いる伝送時間間隔長及び/またはチャネル状況を決定した後、前記パーシステントスケジューリング可能なリソースのリスト内のマッピング関係により、パーシステントスケジューリング可能なリソースを決定し、前記パーシステントスケジューリング可能なリソースにおいてデータを伝送する。本発明によれば、伝送時間間隔が可変としても、パーシステントスケジューリング可能なリソースにおいてデータを伝送することができ、可変伝送時間間隔長で、パーシステントスケジューリング可能なリソースを効果的に割り当てることができる。
2019509675.tif 000002
【特許請求の範囲】
【請求項１】
端末のためにパーシステントスケジューリング可能なリソースのリストを生成するステップと、
前記パーシステントスケジューリング可能なリソースのリストを端末に送信するステップとを備え、
前記パーシステントスケジューリング可能なリソースのリストには、パーシステントスケジューリング可能なリソースと伝送時間間隔（ＴＴＩ）長及び/またはチャネル状況のマッピング関係が含まれることを特徴とするパーシステントスケジューリング可能なリソースの割り当て方法。
【請求項２】
異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定することを特徴とする請求項１に記載のパーシステントスケジューリング可能なリソースの割り当て方法。
【請求項３】
前記パーシステントスケジューリング可能なリソースのリストを端末に送信するステップは、
ユニキャストモードで、端末に、前記パーシステントスケジューリング可能なリソースのリストそれぞれを送信し、または、
１つまたは複数の制御命令により、１グループの端末に、前記パーシステントスケジューリング可能なリソースのリストを送信することを特徴とする請求項１に記載のパーシステントスケジューリング可能なリソースの割り当て方法。
【請求項４】
パーシステントスケジューリング可能なリソースそれぞれには、伝送方向と、周期と、リソース位置と、ＭＣＳＭＣＳフォーマットと、活性化条件とのうちの１つまたはこれらの組み合わせが含まれることを特徴とする請求項１ないし請求項３のいずれか１項に記載のパーシステントスケジューリング可能なリソースの割り当て方法。
【請求項５】
パーシステントスケジューリング可能なリソースのリストを決定するステップと、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定するステップと、
前記パーシステントスケジューリング可能なリソースにおいてデータを伝送するステップとを備え、
前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースにおけるデータ伝送の方法。
【請求項６】
パーシステントスケジューリング可能なリソース周期それぞれに対応する時刻に、前記パーシステントスケジューリング可能なリソースのリスト内のマッピング関係により、パーシステントスケジューリング可能なリソースを決定する場合、各々ＴＴＩ長は、ネットワーク側により、準静的または動的に設定されることを特徴とする請求項５に記載のパーシステントスケジューリング可能なリソースにおけるデータ伝送の方法。
【請求項７】
前記チャネル状況を、以下のように決定し、
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定し、
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定することを特徴とする請求項５に記載のパーシステントスケジューリング可能なリソースにおけるデータ伝送の方法。
【請求項８】
前記チャネル状況を、以下のように決定し、
受信端において、送信端へのチャネル品質測定により決定し、送信端において、受信端からの、送信端へのチャネル測定に対するフィードバックにより決定し、
または、受信端において、送信端へのチャネル品質測定により決定し、送信端において、受信端へのチャネル品質測定により、チャネル相反性に基づいて決定することを特徴とする請求項５に記載のパーシステントスケジューリング可能なリソースにおけるデータ伝送の方法。
【請求項９】
パーシステントスケジューリング可能なリソースそれぞれに、伝送方向と、周期と、リソース位置と、ＭＣＳフォーマットと、活性化条件とのうちの１つまたはこれらの組み合わせが含まれることを特徴とする請求項５ないし請求項８のいずれか１項に記載のパーシステントスケジューリング可能なリソースにおけるデータ伝送の方法。
【請求項１０】
端末のためにパーシステントスケジューリング可能なリソースのリストを生成する生成モジュールと、
前記パーシステントスケジューリング可能なリソースのリストを端末に送信する送信モジュールとを備え、
前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースの割り当て装置。
【請求項１１】
前記生成モジュールは、異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定することを特徴とする請求項１０に記載のパーシステントスケジューリング可能なリソースの割り当て装置。
【請求項１２】
前記送信モジュールは、
ユニキャストモードで、端末に、前記パーシステントスケジューリング可能なリソースのリストそれぞれを送信し、または、
１つまたは複数の制御命令により、１グループの端末に、前記パーシステントスケジューリング可能なリソースのリストを送信することを特徴とする請求項１０に記載のパーシステントスケジューリング可能なリソースの割り当て装置。
【請求項１３】
パーシステントスケジューリング可能なリソースそれぞれに伝送方向と、周期と、リソース位置と、ＭＣＳフォーマットと、活性化条件とのうちの１つまたはこれらの組み合わせが含まれることを特徴とする請求項１０ないし請求項１２のいずれか１項に記載のパーシステントスケジューリング可能なリソースの割り当て装置。
【請求項１４】
パーシステントスケジューリング可能なリソースのリストを決定する割り当てリスト決定モジュールと、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定するリソース決定モジュールと、
前記パーシステントスケジューリング可能なリソースにおいてデータを伝送する伝送モジュールとを備え、
前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースにおいてデータを伝送する装置。
【請求項１５】
前記リソース決定モジュールは、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、ネットワーク側により準静的または動的な構成した各々ＴＴＩ長を用いることを特徴とする請求項１４に記載のパーシステントスケジューリング可能なリソースにおいてデータを伝送する装置。
【請求項１６】
前記リソース決定モジュールは、以下のように前記チャネル状況を決定し、
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定し、
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定することを特徴とする請求項１４に記載のパーシステントスケジューリング可能なリソースにおいてデータを伝送する装置。
【請求項１７】
前記リソース決定モジュールは、以下のように前記チャネル状況を決定し、
受信端において、送信端へのチャネル品質測定により決定し、送信端において、受信端からの、送信端へのチャネル測定に対するフィードバックにより決定し、
または、受信端において、送信端へのチャネル品質測定により決定し、送信端において、受信端へのチャネル品質測定により、チャネル相反性に基づいて決定することを特徴とする請求項１４に記載のパーシステントスケジューリング可能なリソースにおいてデータを伝送する装置。
【請求項１８】
パーシステントスケジューリング可能なリソースそれぞれに、伝送方向と、周期と、リソース位置と、ＭＣＳフォーマットと、活性化条件とのうちの１つまたはこれらの組み合わせが含まれることを特徴とする請求項１４ないし請求項１７のいずれか１項に記載のパーシステントスケジューリング可能なリソースにおいてデータを伝送する装置。
【請求項１９】
メモリに格納されたプログラムを読み出すプロセッサと、
プロセッサの制御により、データを送信し、パーシステントスケジューリング可能なリソースのリストを端末に送信する送受信機とを備え、
端末のためにパーシステントスケジューリング可能なリソースのリストを生成し、前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースの割り当て装置。
【請求項２０】
前記プロセッサは、異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定することを特徴とする請求項１９に記載のパーシステントスケジューリング可能なリソースの割り当て装置。
【請求項２１】
送受信機は、プロセッサの制御により、
ユニキャストモードで、端末に、前記パーシステントスケジューリング可能なリソースのリストそれぞれを送信し、または、
１つまたは複数の制御命令により、１グループの端末に、前記パーシステントスケジューリング可能なリソースのリストを送信することを特徴とする請求項１９に記載のパーシステントスケジューリング可能なリソースの割り当て装置。
【請求項２２】
パーシステントスケジューリング可能なリソースそれぞれには、伝送方向と、周期と、リソース位置と、ＭＣＳフォーマットと、活性化条件とのうちの１つまたはこれらの組み合わせが含まれることを特徴とする請求項１９ないし請求項２１のいずれか１項に記載のパーシステントスケジューリング可能なリソースの割り当て装置。
【請求項２３】
メモリに格納されたプログラムを読み出すプロセッサと、
プロセッサの制御によりデータを送受信し、前記パーシステントスケジューリング可能なリソースにおいてデータを伝送する送受信機とを備え、
前記プロセッサは、パーシステントスケジューリング可能なリソースのリストを決定し、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定し、 
前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースにおいてデータを伝送する装置。
【請求項２４】
前記プロセッサは、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、ネットワーク側により準静的または動的な構成した各々ＴＴＩ長を用いることを特徴とする請求項２３に記載のパーシステントスケジューリング可能なリソースにおいてデータを伝送する装置。
【請求項２５】
前記プロセッサは、以下のように前記チャネル状況を決定し、
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定し、
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定することを特徴とする請求項２３に記載のパーシステントスケジューリング可能なリソースにおいてデータを伝送する装置。
【請求項２６】
プロセッサは、以下のように前記チャネル状況を決定し、
受信端において、送信端へのチャネル品質測定により決定し、送信端において、受信端からの、送信端へのチャネル測定に対するフィードバックにより決定し、
または、受信端において、送信端へのチャネル品質測定により決定し、送信端において、受信端へのチャネル品質測定により、チャネル相反性に基づいて決定することを特徴とする請求項２３に記載のパーシステントスケジューリング可能なリソースにおいてデータを伝送する装置。
【請求項２７】
パーシステントスケジューリング可能なリソースそれぞれに、伝送方向と、周期と、リソース位置と、ＭＣＳフォーマットと、活性化条件とのうちの１つまたはこれらの組み合わせが含まれることを特徴とする請求項２３ないし請求項２６のいずれか１項に記載のパーシステントスケジューリング可能なリソースにおいてデータを伝送する装置。
【発明の詳細な説明】
【技術分野】
【０００１】
本発明は無線通信技術分野に関し、特にパーシステントスケジューリング可能なリソースの割り当て及びリソースにおけるデータ伝送方法及び装置に関する。
【背景技術】
【０００２】
パーシステントスケジューリングとは、ネットワーク側から端末のために持続的に、決定されたリソース（例えば、時間、周波数、コードチャネル等）を割り当て、かつ決定された伝送フォーマット（例えばＭＣＳ（Ｍｏｄｕｌａｔｉｏｎ  ａｎｄ  ＣｏｄｉｎＧ  Ｓｃｈｅｍｅ））を指定し、送信端は指定されたソース位置において、指定された伝送フォーマットでパケットを送信し、ネットワーク側からのスケジューリング命令が必要としない、ことを指す。パーシステントスケジューリングする目的としては、ＶｏＩＰ（Ｖｏｉｃｅ ｏｖｅｒ ＩＰ）パケットのような周期的に到着するスモールデータパケットを対象として、例えば、スケジューリング命令に使用されるリソースを節約し、それによってシステム容量およびリソース割振りの効率を改善することである。
【０００３】
ＬＴＥ（Long Ｔｅｒｍ Ｅｖｏｌｕｔｉｏｎ）システムを例にとると、ＬＴＥシステムにはセミパーシステントスケジューリングが採用され、具体的に、特定のパケット（例えば、ＶｏＩＰサービスの音声パケット）の初期伝送にパーシステントスケジューリングが採用され、パケットの再送及び他のパケット（例えば、ＶｏＩＰサービスのSIDパケット）に、動的なスケジューリングが採用される。
【０００４】
以下、ＶｏＩＰサービスの例を挙げてセミパーシステントスケジューリングを説明する。図１はＶｏＩＰサービスモデル図であり、図１に示すように、ＶｏＩＰサービスは、主に、トークスパート（ｔａｌｋ  ｓｐｕｒｔ）と、サイレント期間（ｓｉｌｅｎｔ ｐｅｒｉｏｄ）に分けられ、トークスパートのＶｏＩＰパケットサイズは基本的に固定的であり、到達周期は２０ｍｓである。サイレント期間のＳＩＤ（Ｓｉｌｅｎｃｅ Ｄｅｓｃｒｉｐｔｏｒ）パケットは音声パケットより小さく、到達周期は１６０ｍｓである。
【０００５】
基地局は、トークスパートにおいて、所定周期（２０ｍｓ）ごとにＶｏＩＰパケットのために十分な固定リソース（周波数、コードチャネル等）を割り当て、即ち、パーシステントスケジューリングを採用することになる。一方、音声パケットの再送及びＳＩＤの初期伝送と再送の場合、動的なスケジューリングを採用する。セミパーシステントスケジューリングは、リソース割り当ての柔軟性とスケジューリングシグナリングの節約のトレードオフである。図２はパーシステントスケジューリング可能なリソースの割り当て及び伝送を示す図であり、パーシステントスケジューリングパケットの割り当て及び伝送は図２に示す。
【０００６】
ＬＴＥシステムには固定フレーム構成が採用されている。図３はＬＴＥ ＴＤＤフレーム構成図であり、ＬＴＥ ＴＤＤ（Ｔｉｍｅ Ｄｉｖｉｓｉｏｎ Ｄｕｐｌｅｘ，時分割複信）の例をとると、そのフレーム構成は図３に示すように、各々無線フレームは２つのハーフフレーム（ｈａｌｆ−ｆｒａｍｅ）で構成され、各ハーフフレーム長は５ｍｓである。各々ハーフフレームに８個のスロット（ｓｌｏｔ）が含まれ、それぞれの長さは０.５ｍｓである。ＤｗＰＴＳ（Ｄｏｗｎｌｉｎｋ Ｐｉｌｏｔ Ｔｉｍｅ Ｓｌｏｔ，ダウンリンクパイロットスロット）、ＧＰ（Ｇｕａｒｄ Ｐｅｒｉｏｄ，ガード期間）及びＵｐＰＴＳ（ＵＰＬＩＮＫ Ｐｉｌｏｔ Ｔｉｍｅ ｓｌｏｔ，アップリンクパイロットスロット）との３つのスペシャルスロットがさらに含まれる。ＤｗＰＴＳ及びＵｐＰＴＳ長は設定されることができ、また、ＤｗＰＴＳ、ＧＰ及びＵｐＰＴＳの総長は１ｍｓである。サブフレーム１及びサブフレーム６には、ＤｗＰＴＳ、ＧＰ及びＵｐＰＴＳが含まれ、すべての他のサブフレームは、２つの隣接するスロットが含まれ、ここで、ｉ番目のサブフレームは、２ｉ番目のスロット及び２ｉ＋１個のスロットで構成される。１サブフレームはＴＴＩ（ｔｒａｎｓｍｉｓｓｉｏｎ ｔｉｍｅ ｉｎｔｅｒｖａｌ，伝送時間間隔）である。
【０００７】
サブフレーム０、サブフレーム５及びＤｗＰＴＳは、いつもダウンリンク伝送のために予約される。
【０００８】
５ｍｓ及び１０ｍｓのスイッチポイント周期をサポートする。
【０００９】
５ｍｓのスイッチング周期の場合、ＵｐＰＴＳ、サブフレーム２及びサブフレーム７は、いつもアップリンク伝送のために予約されている。
【００１０】
１０ｍｓのスイッチング周期の場合、ＤｗＰＴＳは、２つのハーフフレーム両方に存在するが、ＧＰ及びＵｐＰＴＳは、１番目のハーフフレームのみに存在し、２番目のハーフフレームにおけるＤｗＰＴＳ長は１ｍｓである。ＵｐＰＴＳ及びサブフレーム２はアップリンク伝送のために予約されている。
【００１１】
ＵＬ/ＤＬサブフレームスイッチングポイントの相違さにより、異なるＵＬ/ＤＬサブフレーム構成が実現される。現在の仕様によりサポートされたＵＬ/ＤＬサブフレームの構成は表１に示すように、ここで、構成０~２は、５ｍｓＵＬ/ＤＬサブフレームスイッチングポイントであり、構成３~６は１０ｍｓサブフレームスイッチングポイントである。
【００１２】
【表１】
2019509675.tif 000003
【００１３】
ＴＴＩは、スケジューリング及び伝送再の基本的な時間単位であり、ＬＴＥシステムには、ＴＴＩは１ｍｓに固定される。データパケット送信は、 １ ｍｓのサブフレーム内の指定された位置に物理リソースブロック(ｐｈｙｓｉｃａｌ ｒｅｓｏｕｒｃｅ ｂｌｏｃｋ， ＰＲＢ )を割り当てることによって持続的にス。
【００１４】
しかし、従来技術では、可変ＴＴＩにおいて、ＴＴＩ毎の使用可能リソースが異なり、スケジューリングリソース割り当てのＲＵサイズも異なる場合、ＬＴＥシステムのような固定時間周期、固定リソース量と伝送フォーマットのパーシステントスケジューリング方式は、もう、適用されなくなる。一方、従来の技術では、可変のＴＴＩのフレーム構成においてパーシステントスケジューリングを行う案を提示していない。
【発明の概要】
【発明が解決しようとする課題】
【００１５】
本発明は、パーシステントスケジューリング可能なリソースの割り当て及びリソースにおけるデータ伝送方法及び装置を提供し、可変ＴＴＩ的フレーム構成において、パーシステントスケジューリング可能なリソース割り当て、及びデータ伝送の案を提供する。
【課題を解決するための手段】
【００１６】
本発明の実施例に係るパーシステントスケジューリング可能なリソースの割り当て方法は、
端末のためにパーシステントスケジューリング可能なリソースのリストを生成するステップと、
前記パーシステントスケジューリング可能なリソースのリストを端末に送信するステップとを備え、
前記パーシステントスケジューリング可能なリソースのリストには、各々パーシステントスケジューリング可能なリソースとＴＴＩ長及び/またはチャネル状況のマッピング関係が含まれる。
【００１７】
好ましくは、前記端末は、パーシステントスケジューリング可能なリソースにおいて、トラフィックデータを伝送する必要がある端末である。
【００１８】
好ましくは、前記マッピング関係は、異なるＴＴＩ長に対する要求と、ＴＴＩ長のオプションと、パーシステントスケジューリング可能なリソースの割り当てのための無線インタフェースリソースとの要素らのうちの１つまたはこれらの組み合わせにより、決定される。
【００１９】
好ましくは、前記パーシステントスケジューリング可能なリソースのリストを端末に送信するには、ユニキャストモードで端末それぞれに送信するか、または、少なくとも１つ以上の制御命令により１グループの端末に送信する。
【００２０】
好ましくは、パーシステントスケジューリング可能なリソースそれぞれに伝送方向と、周期と、リソース位置と、ＭＣＳフォーマットと、活性化条件とのうちの１つまたはこれらの組み合わせが含まれるとのうちの１つまたはこれらの組み合わせが含まれる。
【００２１】
本発明の実施例に係るパーシステントスケジューリング可能なリソースにおいてデータをパーシステントスケジューリング可能なリソース伝送データ的方法する方法は、 
パーシステントスケジューリング可能なリソースのリストを決定するステップと、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定するステップと、
前記パーシステントスケジューリング可能なリソースにおいてデータを伝送するステップとを備え、
前記パーシステントスケジューリング可能なリソースのリストには、各々パーシステントスケジューリング可能なリソースとＴＴＩ長及び/またはチャネル状況のマッピング関係が含まれる。
【００２２】
好ましくは、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、各々ＴＴＩ長は、ネットワーク側により、準静的または動的に設定される。
【００２３】
好ましくは、前記チャネル状況は、以下のように決定され、
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定し、
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定する。
【００２４】
好ましくは、前記チャネル状況は、以下のように決定され、
受信端において、送信端へのチャネル品質測定により決定し、送信端において、受信端からの、送信端へのチャネル測定に対するフィードバックにより決定し、
または、受信端において、送信端へのチャネル品質測定により決定し、送信端において、受信端へのチャネル品質測定により、チャネル相反性に基づいて決定する。
【００２５】
好ましくは、パーシステントスケジューリング可能なリソースそれぞれには、伝送方向と、周期と、リソース位置と、ＭＣＳフォーマットと、活性化条件とのうちの１つまたはこれらの組み合わせが含まれる。
【００２６】
本発明の実施例に係るパーシステントスケジューリング可能なリソースの割り当て装置は、
端末のためにパーシステントスケジューリング可能なリソースのリストを生成する生成モジュールと、
前記パーシステントスケジューリング可能なリソースのリストを端末に送信する送信モジュールとを備え、
前記パーシステントスケジューリング可能なリソースのリストには、各々パーシステントスケジューリング可能なリソースとＴＴＩ長及び/またはチャネル状況のマッピング関係が含まれる。
【００２７】
好ましくは、生成モジュールは、パーシステントスケジューリング可能なリソースにおいてトラフィックデータを伝送する必要がある端末のために、パーシステントスケジューリング可能なリソースのリストを生成する。
【００２８】
好ましくは、生成モジュールは、異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定する。
【００２９】
好ましくは、送信モジュールは、ユニキャストモードで端末に、前記パーシステントスケジューリング可能なリソースのリストを１つずつ送信し、または、１つまたは複数の制御命令により、１グループの端末に、前記パーシステントスケジューリング可能なリソースのリストを送信する。
【００３０】
好ましくは、パーシステントスケジューリング可能なリソースそれぞれには、伝送方向と、周期と、リソース位置と、ＭＣＳフォーマットと、活性化条件とのうちの１つまたはこれらの組み合わせが含まれる。
【００３１】
本発明の実施例に係るパーシステントスケジューリング可能なリソースにおいてデータを伝送する装置は、
パーシステントスケジューリング可能なリソースのリストを決定する割り当てリスト決定モジュールと、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定するリソース決定モジュールと、
前記パーシステントスケジューリング可能なリソースにおいてデータを伝送する伝送モジュールとを備え、
前記パーシステントスケジューリング可能なリソースのリストには、各々パーシステントスケジューリング可能なリソースとＴＴＩ長及び/またはチャネル状況のマッピング関係が含まれる。
【００３２】
好ましくは、リソース決定モジュールは、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、ネットワーク側により準静的または動的な構成した各々ＴＴＩ長を用いる。
【００３３】
好ましくは、リソース決定モジュールは、以下のように前記チャネル状況を決定し、
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定し、
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定する。
【００３４】
好ましくは、リソース決定モジュールは、以下のように前記チャネル状況を決定し、
受信端において、送信端へのチャネル品質測定により決定し、送信端において、受信端からの、送信端へのチャネル測定に対するフィードバックにより決定し、
または、受信端において、送信端へのチャネル品質測定により決定し、送信端において、受信端へのチャネル品質測定により、チャネル相反性に基づいて決定する。
【００３５】
好ましくは、パーシステントスケジューリング可能なリソースそれぞれには、伝送方向と、周期と、リソース位置と、ＭＣＳフォーマットと、活性化条件とのうちの１つまたはこれらの組み合わせが含まれる。
【００３６】
本発明の実施例に係るたのパーシステントスケジューリング可能なリソースの割り当て装置は、メモリに格納されたプログラムを読み出すプロセッサと、
プロセッサの制御により、データを送信し、前記パーシステントスケジューリング可能なリソースのリストを端末に送信する送受信機とを備え、
前記プロセッサは、端末のためにパーシステントスケジューリング可能なリソースのリストを生成し、前記パーシステントスケジューリング可能なリソースのリストには、各々パーシステントスケジューリング可能なリソースとＴＴＩ長及び/またはチャネル状況のマッピング関係が含まれる。
【００３７】
本発明の実施例に係るたのパーシステントスケジューリング可能なリソースにおいてデータを伝送する装置は、メモリに格納されたプログラムを読み出すプロセッサと、
プロセッサの制御により、データを送信し、前記パーシステントスケジューリング可能なリソースにおいてデータを伝送する送受信機とを備え、
前記プロセッサは、パーシステントスケジューリング可能なリソースのリストを決定し、前記パーシステントスケジューリング可能なリソースのリストには、各々パーシステントスケジューリング可能なリソースとＴＴＩ長及び/またはチャネル状況のマッピング関係が含まれ、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定する。
【発明の効果】
【００３８】
本発明は以下のような効果を奏する。
【００３９】
本発明に係る実施例の技術案によれば、ネットワーク側において、端末のためにパーシステントスケジューリング可能なリソースのリストを生成し、パーシステントスケジューリング可能なリソースのリストには、各パーシステントスケジューリング可能なリソースと、ＴＴＩ長及び/またはチャネル状況のマッピング関係が含まれ、そして、パーシステントスケジューリング可能なリソースのリストを端末に送信する。
【００４０】
データを伝送しようとする場合、データの送受信端において、データ伝送に必要となるＴＴＩ長及び/またはチャネル状況を決定した後、パーシステントスケジューリング可能なリソースのリスト内のマッピング関係により、パーシステントスケジューリング可能なリソースを決定し、前記パーシステントスケジューリング可能なリソースにおいてデータを伝送することができる。
【００４１】
よって、ＴＴＩが可変なものであるとしても、本発明を採用することにより、パーシステントスケジューリング可能なリソースにおいてデータを伝送することができるため、可変ＴＴＩ長下パーシステントスケジューリング可能なリソースを有効に割り当てることができる。
【００４２】
ここでの図面説明は、本発明をより深く理解するためのものであり、本発明の一部となり、本発明に示す実施例及び説明は、本発明を明確するためであり、本発明を限定するものではない。
【図面の簡単な説明】
【００４３】
【図１】は背景技術に記載のＶｏＩＰサービスモデルを示す図である。
【図２】は背景技術に記載のパーシステントスケジューリング可能なリソース割り当て及び伝送を示す図である。
【図３】は背景技術に記載のＬＴＥ ＴＤＤフレーム構成図である。
【図４】は本発明の実施例に係る可変ＴＴＩを示す図である。
【図５】は本発明の実施例に係るパーシステントスケジューリング可能なリソースの割り当て方法のフローチャートである。
【図６】は本発明の実施例に係るＲＵフォーマットを示す図である。
【図７】は本発明の実施例に係るパーシステントスケジューリング可能なリソースにおいてデータを伝送する方法のフローチャートである。
【図８】は本発明の実施例に係るＴＴＩ長に従ってパーシステントスケジューリング可能なリソースを選択する例１を示す図である。
【図９】は本発明の実施例に係るＴＴＩ長に従ってパーシステントスケジューリング可能なリソースを選択する例２を示す図である。
【図１０】は本発明の実施例に係るパーシステントスケジューリング可能なリソースの割り当て装置構成図である。
【図１１】は本発明の実施例に係るパーシステントスケジューリング可能なリソースにおいてデータを伝送する装置構成図である。
【図１２】は本発明の実施例に係る基地局構成図である。
【図１３】は本発明の実施例に係る端末構成図である。
【発明を実施するための形態】
【００４４】
発明者らは、発明を検討中、以下のことに気付いた。
【００４５】
５Ｇモバイル通信システムは、様々な装置を含むエンドツーエンドのエコロジーシステムである。４Ｇより高い性能が要求され、０.１〜１Ｇbpsのユーザー体験スピード、１平方キロメートルあたり１００万数の接続密度、１ミリ秒レベルのエンドツーエンド遅延、１平方キロメートルあたり数十Ｔｂｐｓのトラフィック密度、１時間あたり５００キロメートル以上の移動性及び数十Ｇｂｐｓピークレートをサポートすることが要求される。低遅延高信頼性は５Ｇに対するもとも重要な要求であり、また、低遅延高信頼性に対する典型的な技術挑戦としては極低遅延、即ち、無線インタフェース１ｍｓ及びエンドツーエンドのミリ秒レベル遅延である。このため、５Ｇにおいて可変長ＴＴＩの思想が提出された。図４は可変ＴＴＩを示す図であり、図４に示すように、横軸横は時間領域、縦軸は周波数領域である。それぞれの小さな正方形は最少リソース要素（ＲＥ）（Ｒｅｓｏｕｒｃｅ Ｅｌｅｍｅｎｔ，リソース要素）であり、リソース割り当ては、ＲＵ（Ｒｅｓｏｕｒｃｅ Ｕｎｉｔ，リソース単位）を粒度とする。ＴＴＩ長は時間領域の基本のリソース長（例えばシンボルｓｙｍｂｏｌ）の整数倍である。図４のＴＴＩ１には、ダウンリンクＴＴＩである１シンボルが含まれ、ＴＴＩ２にはアップリンクＴＴＩである１シンボルが含まれる。ＴＴＩ３には、ダウンリンクＴＴＩである２つのシンボルが含まれる。ＴＴＩ４及びＴＴＩ５には、ダウンリンクＴＴＩである３つのシンボルが含まれる。
【００４６】
ＬＴＥにおいて、ＰＲＢをリソース割り当ての単位ＲＵとし、ＰＲＢは、時間上に全ＴＴＩ長を占有し、周波数上に一部のサブキャリアを占有する。５Ｇにより提案した新しいフレーム構成によれば、ＲＵはＬＴＥ ＰＲＢと類似し、全ＴＴＩ長の一部のサブキャリアを占有するか、長さがＴＴＩより小さい可能性もある。
【００４７】
可変ＴＴＩの場合、ＴＴＩことに利用可能なリソースが異なることが明らかであり、リソース割り当てのためのＲＵサイズも異なる。ＬＴＥシステムのこのような固定時間周期、固定リソースサイズ及び伝送フォーマットのパーシステントスケジューリングモードはもう適用できなくなる。一方、５Ｇシステムサービスの多様化に従って、パーシステントスケジューリングが必要とするパケットが多くなるだろう。しかしながら、従来技術では、可変ＴＴＩのフレーム構成場合のパーシステントスケジューリングの解決案を提示していない。
【００４８】
よって、ＴＴＩのフレーム構成において、どのようにパーシステントスケジューリングを行うかは技術課題となり、これに応じて、本発明に係る実施例において、可変ＴＴＩ的フレーム構成において、パーシステントスケジューリング可能なリソース割り当て、及びデータ伝送の案を提供する。提供する案には、ネットワーク側では、端末にパーシステントスケジューリング可能なリソースのリストを割り当て、各々パーシステントスケジューリング可能なリソースのリソース占有、伝送フォーマットは、利用可能なＴＴＩ長及び/またはチャネル状と関連する。送信端及び受信端により、チャネル状況を推測して、各々パケット伝送に用いられるリソースを選択し、及び/または伝送時刻のＴＴＩ長に従って、パーシステントスケジューリング伝送に用いられるリソースを選択する。以下、図面を参考して本発明に係る具体的な実施形態を説明する。
【００４９】
説明中、端末及びネットワーク側のエンティティに実施に係るにようなるため、ネットワーク側でのリソース割り当てを説明する一方、端末が、端末またはネットワーク側とのデータ伝送も説明し、そして、協働実施の実例を説明して本発明に係る実施例をより明瞭にする。これは、必ず協働実施するか、または、単独に実施するのを意味することではなく、実に、端末別またはネットワーク側の装置別に実施する場合、端末側、ネットワーク側それぞれの問題点を解決できるが、協働実施の場合、よりよい効果を奏する。
【００５０】
図５はパーシステントスケジューリング可能なリソースの割り当て方法のフローチャートである。図に示すように、以下のステップを備える。
【００５１】
ステップ５０１において、端末のためにパーシステントスケジューリング可能なリソースのリストを生成し、前記パーシステントスケジューリング可能なリソースのリストには、各々パーシステントスケジューリング可能なリソースとＴＴＩ長及び/またはチャネル状況のマッピング関係が含まれる。
【００５２】
ステップ５０２において、前記パーシステントスケジューリング可能なリソースのリストを端末に送信する。
【００５３】
実施中、ネットワーク側において、パーシステントスケジューリング可能なリソースを割り当てる。ネットワーク側が、端末のために、パーシステントスケジューリング可能なリソースを割り当てる必要があると判断する場合、端末のために、複数グループのパーシステントスケジューリング可能なリソースを割り当て、パーシステントスケジューリング可能なリソースのリストを構成する。パーシステントスケジューリング可能なリソースの割り当てごとに、ＴＴＩ長及び/またはチャネル状況に対応する。当該リストは、本願発明には、パーシステントスケジューリング可能なリソースのリストと呼ばれるが、実施の場合、テーブルに限定されなく、実に、パーシステントスケジューリング可能なリソースとＴＴＩ長及び/またはチャネル状況の各々マッピング関係を表す形式が含まればよい。テーブルは、当該分野の通常の知識を有する者に本発明の実施方を教示するためだけ、テーブルに限定されることではなく、実施の場合、実のニーズに応じて、表す形式を決める。
【００５４】
実施の際、リストフォーマットの例は、表２に示す。
【００５５】
【表２】
2019509675.tif 000004
【００５６】
実施中、パーシステントスケジューリング可能なリソースごとに、伝送方向と、周期と、リソース位置と、ＭＣＳ（Ｍｏｄｕｌａｔｉｏｎ ａｎｄ ＣｏｄｉｎＧ Ｓｃｈｅｍｅ）フォーマットと、活性化条件とのうちの１つまたはこれらの組み合わせが含まれる。
【００５７】
表２を例とし、具体的に以下の項目が含まれることができる。
【００５８】
１）伝送リソース割り当て欄
伝送リソース唯一に決定できるように、以下内容の一部またはそれらの組み合わせが含まれることができる。
【００５９】
伝送方向：例えば、アップリンク、ダウンリンク、Ｄ２Ｄ（Ｄｅｖｉｃｅ−ｔｏ−Ｄｅｖｉｃｅ）ペアとなるＵＥ（Ｕｓｅｒ Ｅｑｕｉｐｍｅｎｔ）間の伝送等。
【００６０】
周期：一般的にサービス時間と周期的にマッチングし、複数の周期と設定される。具体的な実施において、ＴＤＤについて、ある周期におけるポイント上のＴＴＩ方向が希望の伝送方向と一致しなければ、伝送方向と一致する次のＴＴＩにおいて伝送するようにデフォルトする。
【００６１】
リソース位置：決定されたリソース割り当てフォーマットと関連する。
具体的な実施において、具体的なリソース位置指示方はリソース割り当て単位ＲＵと関連する。図６はＲＵフォーマットを示す図であり、図に示すように、３種異なるＲＵフォーマットそれぞれが太い黒枠で示される。ＲＵフォーマット１では、１ＲＵが時間領域において全ＴＴＩを占有し、周波数領域において一部のサブキャリアを占有する。ＲＵフォーマット２では、１ＲＵが、一部の時間・周波数領域における連続的なリソース要素（ＲＥ）を占有し、時間領域において全部のＴＴＩを占有していない。ＲＵフォーマット３では、１ＲＵが分散している少なくとも１つのＲＥを占有するが、具体的な占有patternは決められたものである。
よって、リソース指示パタンは、始点位置及び終点位置（例えば、ＲＵフォーマット１）を含むか、始点位置及びＲＵ数（例えば、ＲＵフォーマット１、フォーマット２場合の連続的なサブキャリアの割り当て）を含むか、割り当てられたＲＵ位置または番号（例えば、ＲＵフォーマット３）を含む。
【００６２】
ＭＣＳ：変調コーディングスキーム
活性化条件：例えば、サービス到達に従う自動活性化。ダウンリンク活性化命令，アップリンクスケジューリング要求後の活性化等のような特定指示を送信する。
【００６３】
２）ＴＴＩ長の欄
例えば、長さが１シンボルであるＴＴＩ、長さがＮ個のシンボルであるＴＴＩ等。
【００６４】
３）チャネル状況
例えば、チャネル品質閾値。特定チャネル品質範囲において、対応の伝送リソースを割り当て、たとえば、チャネル品質がよいほど高レベル（即ち、同様なデータの伝送に用いる物理リソースが低い）のＭＣＳフォーマットが用いられる。
【００６５】
実施中、前記端末は、パーシステントスケジューリング可能なリソースにおいて、トラフィックデータを伝送する必要がある端末である。
【００６６】
実施中、異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定する。
【００６７】
実施中、前記パーシステントスケジューリング可能なリソースのリストを端末に送信するには、ユニキャストモードで端末それぞれに送信するか、または、少なくとも１つ以上の制御命令により１グループの端末に送信する。
【００６８】
以下、例を挙げて説明する。
【００６９】
＜実施例１＞
当該例は、ネットワーク側において、パーシステントスケジューリング可能なリソースのリストの割り当てを説明するための例である。
【００７０】
ステップ１において、ネットワーク側において、パーシステントスケジューリング可能なリソースの割り当てが必要とする端末を決定する。決定根拠としては、当該端末には、パーシステントスケジューリング可能なリソースにおいて伝送する必要がある周期的なスモールデータパケット（例えばＶｏＩＰ、ＭＴＣ（Ｍａｃｈｉｎｅ Ｔｙｐｅ Ｃｏｍｍｕｎｉｃａｔｉｏｎｓ）周期報告データ等）のようなトラフィックデータを有することである。また、パーシステントスケジューリング可能なリソースにおいてトラフィックデータを伝送する周期、パケットサイズ、伝送方向（ダウンリンク、アップリンク、Ｄ２Ｄ）等を決定する。
【００７１】
ステップ２において、ネットワーク側において、異なるＴＴＩ長への要求と、ＴＴＩ長のオプションと、パーシステントスケジューリング可能なリソースの割り当てのための無線インタフェースリソースを決定する。パーシステントスケジューリング可能なリソースのリストを構成し、リストに、パーシステントスケジューリング可能なリソース割り当て（スケジューリング周期、リソース位置、伝送フォーマット等）と、対応のＴＴＩ長及び/またはチャネル品質が含まれる。
【００７２】
ステップ３において、その後のパーシステントスケジューリング可能なリソースにおける伝送のため、ネットワーク側において、割り当てられたパーシステントスケジューリング可能なリソースのリストを端末に送信する。当該リストは、ユニキャストモードで、端末それぞれに送信されるか、または、１つまたは複数の制御命令により、１グループの端末に送信される。
【００７３】
以下、パーシステントスケジューリング可能なリソースのリストに従ってデータを伝送することを説明する。パーシステントスケジューリングデータの伝送には、パーシステントスケジューリング可能なリソースの割り当て周期に従って、送信端は、パーシステントスケジューリング可能なリソースの周期に対応する伝送時刻で、現在のＴＴＩ長やチャネル状況により、伝送リソース及び伝送フォーマットを決定して、データを伝送する。一方、受信端は、同様なルールでデータを受信する。以下に、端末からネットワーク側へのデータ伝送、端末と端末間のデータ伝送に分けて説明する。
【００７４】
図７はパーシステントスケジューリング可能なリソースにおけるデータ伝送の方法のフローチャートであり、以下のステップを備える。 
【００７５】
ステップ７０１において、パーシステントスケジューリング可能なリソースのリストを決定する。前記パーシステントスケジューリング可能なリソースのリストには、各々パーシステントスケジューリング可能なリソースとＴＴＩ長及び/またはチャネル状況のマッピング関係が含まれる。
【００７６】
ステップ７０２において、データ伝送に必要となるＴＴＩ長及び/またはチャネル状況を決定した後、前記パーシステントスケジューリング可能なリソースのリスト内のマッピング関係により、パーシステントスケジューリング可能なリソースを決定する。
【００７７】
ステップ７０３において、前記パーシステントスケジューリング可能なリソースにおいてデータを伝送する。
【００７８】
以下、ステップ７０２中のデータ伝送際のＴＴＩ長を決定した後、前記パーシステントスケジューリング可能なリソースのリスト内のマッピング関係により、パーシステントスケジューリング可能なリソースを決定することを説明する。
【００７９】
実施中、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、各々ＴＴＩ長は、ネットワーク側により、準静的または動的に設定される。
【００８０】
具体的な実施において、パーシステントスケジューリング可能なリソース周期それぞれに対応する時刻で、送信端及び受信端は、パーシステントスケジューリング可能なリソースのリスト内のＴＴＩ長と伝送リソースの対応関係により、パーシステントスケジューリング可能なリソースを決定する。各々ＴＴＩ長は、ネットワーク側により、準静的または動的に設定される。
【００８１】
図８はＴＴＩ長によりパーシステントスケジューリング可能なリソースを線体躯する例１を示す図である。図に示すように、太い黒枠の正方形は、データ伝送あたりに用いるリソースであり、当該図には、パーシステントスケジューリング可能なリソースがいつも６個のＲＥを占有することを例とした。
【００８２】
以下、ステップ７０２において、データ伝送際のチャネル状況を決定した後、前記パーシステントスケジューリング可能なリソースのリスト内のマッピング関係により、パーシステントスケジューリング可能なリソースを決定することを説明する。
【００８３】
実施中、パーシステントスケジューリング可能なリソース周期それぞれに対応する時刻で、送信端及び受信端は、チャネル品質により、パーシステントスケジューリング可能なリソースのリストから、パーシステントスケジューリング可能なリソースを決定する。チャネル状況は以下とおりに決定される。
【００８４】
１、ネットワーク側から端末へのダウンリンク伝送
【００８５】
１）ネットワーク側から端末へのダウンリンク伝送には、パーシステントスケジューリング可能なリソースは、端末において、ＣＱＩにより決定されるが、ネットワーク側において、端末からフィードバックされたＣＱＩにより決定される。
【００８６】
以下、詳細に説明する。
【００８７】
ステップ１において、端末は、ダウンリンクチャネル品質（ＣＱＩ）（Ｃｈａｎｎｅｌ Ｑｕａｌｉｔｙ Ｉｎｄｉｃａｔｏｒ，チャネル品質指示）をフィードバックし、異なるＣＱＩレベルは異なるリソース割り当てに対応する。
【００８８】
ステップ２において、ネットワーク側において、端末からのＣＱＩフィードバックにより、ダウンリンクパーシステントスケジューリング伝送に用いられるリソース及び伝送フォーマットを決定する。
【００８９】
ステップ３において、ネットワーク側及び端末では、決定されたパーシステントスケジューリング可能なリソース及び伝送フォーマットによりデータを送受信する。
【００９０】
２）ネットワーク側から端末へのダウンリンク伝送には、パーシステントスケジューリング可能なリソースは、ネットワーク側において、ネットワーク側では、端末から送信されたアップリンクパイロット信号またはアップリンク伝送のためのチャネル品質測定後に推測したダウンリンクチャネル品質により決定され、端末において、端末におけるダウンリンクチャネル品質測定により決定される。
【００９１】
以下、詳しく説明する。
【００９２】
ステップ１において、ネットワーク側では、端末から送信されたアップリンクパイロット信号またはアップリンク伝送データにより、チャネル品質を測定（端末から送信されたアップリンクパイロット信号またはアップリンク伝送はパーシステントスケジューリングに対することではない可能性もある）し、また、チャネル相反性に基づき、アップリンクチャネル品質によりダウンリンクチャネル品質を推測し、こうして、パーシステントスケジューリング可能なリソースのリストにおいて、当該チャネル品質に対応するパーシステントスケジューリング可能なリソースをサーチする。
【００９３】
ステップ２において、端末は、ダウンリンクチャネル品質を測定し、パーシステントスケジューリング可能なリソースのリストにおいて、当ギアチャネル品質に対応するパーシステントスケジューリング可能なリソースをサーチする。
【００９４】
ステップ３において、ネットワーク側及び端末は、決定されたパーシステントスケジューリング可能なリソース及び伝送フォーマットにより、データを送受信する。
【００９５】
２、端末からネットワーク側へのアップリンク伝送
【００９６】
１）端末からネットワーク側へのアップリンク伝送には、パーシステントスケジューリング可能なリソースは、端末において、端末におけるダウンリンクチャネル品質測定後に推測したアップリンクチャネル品質により決定され、ネットワーク側において、端末からフィードバックされたＣＱＩにより決定される。
【００９７】
以下詳しく説明する。
【００９８】
ステップ１において、端末において、ダウンリンクチャネル品質を測定し、チャネル相反性により、アップリンクチャネル品質を推測し、こうして、パーシステントスケジューリング可能なリソースのリストから、パーシステントスケジューリング可能なリソースを選択する。
【００９９】
ステップ２において、ネットワーク側では、端末からのＣＱＩフィードバックにより、チャネル相反性に基づき、パーシステントスケジューリング可能なリソースのリストから、パーシステントスケジューリング可能なリソースを選択する。
【０１００】
ステップ３において、端末及びネットワーク側では、選択されたパーシステントスケジューリング可能なリソース及び伝送フォーマットにより、データを送受信する。
【０１０１】
２）端末からネットワーク側へのアップリンク伝送には、パーシステントスケジューリング可能なリソースは、端末において、端末におけるダウンリンクチャネル品質測定後に推測したアップリンクチャネル品質により決定され、ネットワーク側において、ネットワーク側では、端末から送信されたアップリンクパイロット信号またはアップリンク伝送のためのチャネル品質測定により決定される。
【０１０２】
以下詳しく説明する。
【０１０３】
ステップ１において、端末において、ダウンリンクチャネル品質を測定し、チャネル相反性により、アップリンクチャネル品質を推測し、こうして、パーシステントスケジューリング可能なリソースのリストから、パーシステントスケジューリング可能なリソースを選択する。
【０１０４】
ステップ２において、ネットワーク側では、端末から送信されたアップリンクパイロット信号またはアップリンク伝送データによりチャネル品質を測定し、こうして、パーシステントスケジューリング可能なリソースのリストから、パーシステントスケジューリング可能なリソースを選択する。
【０１０５】
ステップ３において、端末及びネットワーク側伝送において、選択されたパーシステントスケジューリング可能なリソース及伝送フォーマットにより、データを送受信する。
【０１０６】
３）端末からネットワーク側へのアップリンク伝送パーシステントスケジューリング可能なリソースを決定する場合、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定する。
【０１０７】
実施中、伝送の際に、実の状況に応じるように、データ送受信の両側を送信端と受信端に区分することができる。例えば、Ｄ２Ｄ端末と端末間の伝送、端末と基地局間の伝送。この際、チャネル状況は以下とおりに決定される。
【０１０８】
受信端において、送信端へのチャネル品質測定により決定し、送信端において、受信端からの、送信端へのチャネル測定に対するフィードバックにより決定される。
【０１０９】
または、受信端において、送信端へのチャネル品質測定により決定し、送信端において、受信端へのチャネル品質測定により、チャネル相反性に基づいて決定する。
【０１１０】
送信端及び受信端別に説明した実施形態は、下記の、パーシステントスケジューリング可能なリソースのリストにおける伝送の実施例らを参照することができる。
【０１１１】
以下、ステップ７０２において、データ伝送際のＴＴＩ長及びチャネル状況を決定した後、前記パーシステントスケジューリング可能なリソースのリスト内のマッピング関係により、パーシステントスケジューリング可能なリソースを決定することを説明する。
【０１１２】
この場合、送信端及び受信端において、チャネル品質の測定により、データ伝送に必要とするリソース数及び伝送フォーマットを決定し、かつ、伝送時刻のＴＴＩ長に基づき、伝送リソースを決定する。これは、動的に可変するＴＴＩ長に適用する。
【０１１３】
図９はＴＴＩ長によりパーシステントスケジューリング可能なリソースを選択する例２を示す図である。図に示すように、時刻t１において、ＴＴＩ１長が３個のシンボルであり、チャネル品質により伝送フォーマットＭＣＳ１を選択し、６個のＲＥリソースを占有する。時刻t２において、ＴＴＩ２長が１シンボルであり、チャネル品質により、伝送フォーマットＭＣＳ２を選択し、４個のＲＥリソースを占有する。時刻t３において、ＴＴＩ３長が２個のシンボルであり、チャネル品質により伝送フォーマットＭＣＳ３を選択し、２個のＲＥリソースを占有する。
【０１１４】
以下、実例を挙げて、パーシステントスケジューリング可能なリソースのリストにおける伝送を説明する。実施例２には、ネットワーク側と端末の間のダウンリンク、アップリンク、端末と端末の間のＤ２Ｄ伝送のためのリソース選択及びデータの送受信が説明されている。実施例３、４には、送信端及び受信端においてリソースの選択及びデータの送受信のみが説明されており、運営環境などの詳細な内容は実施例２を参照すればよい。ここで、実施例２は、ＴＴＩ長によりパーシステントスケジューリング可能なリソースを選択して伝送する実例であり、実施例３はチャネル品質によりパーシステントスケジューリング可能なリソースを選択して伝送する実例であり、実施例４は、ＴＴＩ長及びチャネル品質によりパーシステントスケジューリング可能なリソースを選択して伝送する実例である。
【０１１５】
＜実施例２＞
本例は、ＴＴＩ長によりパーシステントスケジューリング可能なリソースを選択して伝送することを説明するためのものである。
【０１１６】
パーシステントスケジューリング可能な伝送を行う前、ネットワーク側では端末野ためにパーシステントスケジューリング可能なリソースのリストを設定した。パーシステントスケジューリング可能なリソースそれぞれに異なるＴＴＩ長が対応するように設定された。
【０１１７】
１、ダウンリンク伝送（ネットワーク側から端末へ）
【０１１８】
◎ネットワーク側において
ステップ１において、ネットワーク側の伝送ポイントはパーシステントスケジューリング周期により伝送時刻を決定する。周期に対応する時刻のＴＴＩがダウンリンクＴＴＩではなければ、その後の一番近いダウンリンクＴＴＩをＴＴＩとする。
ステップ２において、ネットワーク側の伝送ポイントは、ＴＴＩ長を決定し、パーシステントスケジューリング可能なリソースのリスト内のＴＴＩ長とパーシステントスケジューリング可能なリソースの対応関係により、伝送のためのパーシステントスケジューリング可能なリソースを決定する。
ステップ３において、ネットワーク側の伝送ポイント在ＴＴＩで、決定されたパーシステントスケジューリング可能なリソースにおいて、データを受信する。
【０１１９】
◎端末側において
ステップ１において、端末では、パーシステントスケジューリング周期により伝送時刻を決定し、周期に対応する時刻のＴＴＩがダウンリンクＴＴＩではなければ、その後の一番近いダウンリンクＴＴＩをＴＴＩとする。
ステップ２において、端末では、ＴＴＩ長を決定し、パーシステントスケジューリング可能なリソースのリスト内のＴＴＩ長とパーシステントスケジューリング可能なリソースの対応関係により、伝送のためのパーシステントスケジューリング可能なリソースを決定する。端末によるＴＴＩ長の決定は、当該ＴＴＩ長がネットワーク側より静的、または準静に設定されるか、ネットワーク側より動的に設定されて通知される。
ステップ３において、端末は、ＴＴＩで、決定されたパーシステントスケジューリング可能なリソースにおいて、データを受信する。
【０１２０】
２、アップリンク伝送（端末からネットワーク側へ）
【０１２１】
◎端末側において
ステップ１において、端末では、パーシステントスケジューリング周期により伝送時刻を決定し、周期に対応する時刻のＴＴＩがアップリンクＴＴＩではなければ、その後の一番近いアップリンクＴＴＩをＴＴＩとする。
ステップ２において、端末では、ＴＴＩ長を決定し、パーシステントスケジューリング可能なリソースのリスト内のＴＴＩ長とパーシステントスケジューリング可能なリソースの対応関係により、伝送のためのパーシステントスケジューリング可能なリソースを決定する。端末によるＴＴＩ長の決定は、当該ＴＴＩ長がネットワーク側より静的、または準静に設定されるか、ネットワーク側より動的に設定されて通知される。
ステップ３において、端末は、ＴＴＩで、決定されたパーシステントスケジューリング可能なリソースにおいて、データを送信する。
【０１２２】
◎ネットワーク側において、
ステップ１において、ネットワーク側の伝送ポイントはパーシステントスケジューリング周期により伝送時刻を決定する。周期に対応する時刻のＴＴＩがアップリンクＴＴＩではなければ、その後の一番近いアップリンクＴＴＩをＴＴＩとする。
ステップ２において、ネットワーク側の伝送ポイントは、ＴＴＩ長を決定し、パーシステントスケジューリング可能なリソースのリスト内のＴＴＩ長とパーシステントスケジューリング可能なリソースの対応関係により、伝送のためのパーシステントスケジューリング可能なリソースを決定する。
ステップ３において、ネットワーク側の伝送ポイントは、ＴＴＩで、決定されたパーシステントスケジューリング可能なリソースにおいて、データを受信する。
【０１２３】
３、Ｄ２Ｄ伝送（端末１から端末２へ）
【０１２４】
◎端末１（送信端）
ステップ１：端末１は、パーシステントスケジューリング周期により伝送時刻を決定し、周期に対応する時刻のＴＴＩが利用可能なＤ２ＤＴＴＩではなければ、その後の一番近い利用可能なＤ２ＤＴＴＩをＴＴＩとする。
ステップ２において、端末１は、ＴＴＩ長を決定し、パーシステントスケジューリング可能なリソースのリスト内のＴＴＩ長とパーシステントスケジューリング可能なリソースの対応関係により、伝送のためのパーシステントスケジューリング可能なリソースを決定する。端末によるＴＴＩ長の決定は、当該ＴＴＩ長がネットワーク側より静的、または準静に設定されるか、ネットワーク側より動的に設定されて通知される。
ステップ３において、端末１は、ＴＴＩで、決定されたパーシステントスケジューリング可能なリソースにおいて、データを受信する。
【０１２５】
◎端末２（受信端）において
ステップ１において、端末２は、パーシステントスケジューリング周期により伝送時刻を決定し、周期に対応する時刻のＴＴＩが利用可能なＤ２ＤＴＴＩではなければ、その後の一番近い利用可能なＤ２ＤＴＴＩをＴＴＩとする。
ステップ２において、端末２は、ＴＴＩ長を決定し、パーシステントスケジューリング可能なリソースのリスト内のＴＴＩ長とパーシステントスケジューリング可能なリソースの対応関係により、伝送のためのパーシステントスケジューリング可能なリソースを決定する。端末によるＴＴＩ長の決定は、当該ＴＴＩ長がネットワーク側より静的、または準静に設定されるか、ネットワーク側より動的に設定されて通知される。
ステップ３において、端末２は、ＴＴＩで、決定されたパーシステントスケジューリング可能なリソースにおいて、データを受信する
【０１２６】
〈実施例３〉
本例は、チャネル品質によりパーシステントスケジューリング可能なリソースを選択して伝送する例である。
【０１２７】
パーシステントスケジューリング可能な伝送を行う前、ネットワーク側已では、端末のためにパーシステントスケジューリング可能なリソースのリストを設定した。パーシステントスケジューリング可能なリソースそれぞれに対応するチャネル品質は異なる。
【０１２８】
◎送信端において
ステップ１において、送信端は、パーシステントスケジューリング周期により伝送時刻を決定し、周期に対応する時刻的ＴＴＩが対応の伝送方向のＴＴＩではなければ、その後の一番近い可用ＴＴＩをＴＴＩとする。
ステップ２において、送信端は、対端側の伝送チャネル品質を測定し、チャネル相反性により、対端から送信端への伝送チャネル品質を推測するか、または、対端からのチャネル品質フィードバックにより伝送チャネル品質を決定する。
ステップ３において、パーシステントスケジューリング可能なリソースのリスト中チャネル品質とパーシステントスケジューリング可能なリソースの対応関係により、伝送のためのパーシステントスケジューリング可能なリソースを決定する。
ステップ４において、送信端は、ＴＴＩで、決定されたパーシステントスケジューリング可能なリソースにおいて、データを受信する。
【０１２９】
◎受信端において
ステップ１において、受信端は、パーシステントスケジューリング周期により伝送時刻を決定し、周期に対応する時刻的ＴＴＩが対応の伝送方向のＴＴＩではなければ、その後の一番近い可用ＴＴＩをＴＴＩとする。
ステップ２において、受信端は、対端の伝送チャネル品質を測定し、または、対端からのチャネル品質フィードバックにより、チャネル相反性に基づき、伝送チャネル品質を推測する。
ステップ３において、パーシステントスケジューリング可能なリソースのリスト中チャネル品質とパーシステントスケジューリング可能なリソースの対応関係により、伝送のためのパーシステントスケジューリング可能なリソースを決定する。
ステップ４において、受信端は、チャネル相反性に基づき、伝送チャネル品質を推測する。
【０１３０】
〈実施例４〉
本例は、ＴＴＩ長及びチャネル品質により、パーシステントスケジューリング可能なリソースを選択して、伝送する例である。
【０１３１】
パーシステントスケジューリング可能な伝送を行う前、ネットワーク側已では、端末のためにパーシステントスケジューリング可能なリソースのリストを設定した。パーシステントスケジューリング可能なリソースそれぞれに対応するチャネル品質とＴＴＩ長の組み合わせは異なる。
【０１３２】
◎送信端において
ステップ１において、送信端は、パーシステントスケジューリング周期により伝送時刻を決定し、周期に対応する時刻的ＴＴＩが対応の伝送方向のＴＴＩではなければ、その後の一番近い可用ＴＴＩをＴＴＩとする。
ステップ２において、送信端は、対端側の伝送チャネル品質を測定し、チャネル相反性により、対端へ送信する際の伝送チャネル品質を推測する。または、対端からのチャネル品質フィードバックにより伝送チャネル品質を決定する。チャネル品質により、パーシステントスケジューリング可能なリソース数及び伝送フォーマットを決定することができる。
ステップ３において、送信端は、ＴＴＩ長を決定し、チャネル品質情報により、パーシステントスケジューリング可能なリソースのリストにおいてサーチし、伝送のためのパーシステントスケジューリング可能なリソースを決定する。
ステップ４において、送信端は、ＴＴＩで、決定されたパーシステントスケジューリング可能なリソースにおいて、データを受信する。
【０１３３】
◎受信端において
ステップ１において、受信端は、パーシステントスケジューリング周期により伝送時刻を決定し、周期に対応する時刻的ＴＴＩが対応の伝送方向のＴＴＩではなければ、その後の一番近い可用ＴＴＩをＴＴＩとする。
ステップ２において、受信端は、対端の伝送チャネル品質を測定し、または、対端からのチャネル品質フィードバックにより、チャネル相反性に基づき、伝送チャネル品質を推測する。チャネル品質により、パーシステントスケジューリング可能なリソース数及び伝送フォーマットを決定することができる。
ステップ３において、受信端は、ＴＴＩ長を決定し、チャネル品質情報により、パーシステントスケジューリング可能なリソースのリストにおいてサーチし、伝送のためのパーシステントスケジューリング可能なリソースを決定する。
ステップ４において、受信端は、チャネル相反性に基づき、伝送チャネル品質を推測する。
【０１３４】
同様な発明思想に基づき、本発明の実施例は、パーシステントスケジューリング可能なリソースの割り当て装置、パーシステントスケジューリング可能なリソースにおいてデータを伝送する装置を提供する。これらの装置の課題解決原理がパーシステントスケジューリング可能なリソースの割り当て方法、パーシステントスケジューリング可能なリソースにおけるデータ伝送の方法と類似するため、これらの装置の実施は、方法の実施を参考することができ、繰り返して説明しない。
【０１３５】
図１０はパーシステントスケジューリング可能なリソースの割り当て装置の構造図である。当該装置は、端末のためにパーシステントスケジューリング可能なリソースのリストを生成する生成モジュール１００１と、前記パーシステントスケジューリング可能なリソースのリストを端末に送信する送信モジュール１００２とを備える。前記パーシステントスケジューリング可能なリソースのリストには、各々パーシステントスケジューリング可能なリソースとＴＴＩ長及び/またはチャネル状況のマッピング関係が含まれる。
【０１３６】
実施中、前記生成モジュールは、パーシステントスケジューリング可能なリソースにおいてトラフィックデータを伝送する必要がある端末のために、パーシステントスケジューリング可能なリソースのリストを生成する。
【０１３７】
実施中、前記生成モジュールは、異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定する。
【０１３８】
実施中、前記送信モジュールは、ユニキャストモードで端末に、前記パーシステントスケジューリング可能なリソースのリストを１つずつ送信し、または、１つまたは複数の制御命令により、１グループの端末に、前記パーシステントスケジューリング可能なリソースのリストを送信する。
【０１３９】
実施中、パーシステントスケジューリング可能なリソースそれぞれに、伝送方向と、周期と、リソース位置と、ＭＣＳフォーマットと、活性化条件とのうちの１つまたはこれらの組み合わせが含まれる。
【０１４０】
図１１はパーシステントスケジューリング可能なリソースにおいてデータを伝送する装置の構成図である。当該装置は、
【０１４１】
パーシステントスケジューリング可能なリソースのリストを決定する割り当てリスト決定モジュール１１０１と、データ伝送に必要となるＴＴＩ長及び/またはチャネル状況を決定した後、前記パーシステントスケジューリング可能なリソースのリスト内のマッピング関係により、パーシステントスケジューリング可能なリソースを決定するリソース決定モジュール１１０２と、前記パーシステントスケジューリング可能なリソースにおいてデータを伝送する伝送モジュール１１０３とを備える。前記パーシステントスケジューリング可能なリソースのリストには、各々パーシステントスケジューリング可能なリソースとＴＴＩ長及び/またはチャネル状況のマッピング関係が含まれる。
【０１４２】
実施中、前記リソース決定モジュールは、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、ネットワーク側により準静的または動的な構成した各々ＴＴＩ長を用いる。
【０１４３】
実施中、前記リソース決定モジュールは、以下のように前記チャネル状況を決定する。
【０１４４】
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定する。
【０１４５】
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定する。
【０１４６】
実施中、前記リソース決定モジュールは、以下のように前記チャネル状況を決定する。
【０１４７】
受信端において、送信端へのチャネル品質測定により決定し、送信端において、受信端からの、送信端へのチャネル測定に対するフィードバックにより決定する。
【０１４８】
または、受信端において、送信端へのチャネル品質測定により決定し、送信端において、受信端へのチャネル品質測定により、チャネル相反性に基づいて決定する。
【０１４９】
実施中、パーシステントスケジューリング可能なリソースそれぞれに、伝送方向と、周期と、リソース位置と、ＭＣＳフォーマットと、活性化条件とのうちの１つまたはこれらの組み合わせが含まれる。
【０１５０】
説明の便宜のため、上記装置の各部分は、機能ベースでモジュールやユニットに分けて説明する。勿論、本発明を実施する際に、それぞれのモジュールやユニットの機能を、１つまたは複数のソフトウェアやハードウェアにおいて実現することもできる。
【０１５１】
本発明に係る実施例の技術案の実施は以下通りである。
【０１５２】
図１２は基地局の構成図である。図に示すように、基地局は、メモリ１２２０に格納されたプログラムを読み出すプロセッサ１２００と、プロセッサ１２００の制御によりデータを送信し、前記パーシステントスケジューリング可能なリソースのリストを端末に送信する送受信機１２１０とを備える。
【０１５３】
前記プロセッサ１２００は、端末のためにパーシステントスケジューリング可能なリソースのリストを生成する。前記パーシステントスケジューリング可能なリソースのリストには、各々パーシステントスケジューリング可能なリソースとＴＴＩ長及び/またはチャネル状況のマッピング関係が含まれる。
【０１５４】
実施中、前記端末は、パーシステントスケジューリング可能なリソースにおいて、トラフィックデータを伝送する必要がある端末である。
【０１５５】
実施中、異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定する。
【０１５６】
実施中、前記パーシステントスケジューリング可能なリソースのリストを端末に送信するには、ユニキャストモードで端末それぞれに送信するか、または、少なくとも１つ以上の制御命令により１グループの端末に送信する。
【０１５７】
実施中、パーシステントスケジューリング可能なリソースそれぞれに、伝送方向と、周期と、リソース位置と、ＭＣＳフォーマットと、活性化条件とのうちの１つまたはこれらの組み合わせが含まれる。
【０１５８】
ここで、図１２において、バスアーキテクチャは、いずれ数の相互接続するバス及びブリッジを備える。具体的に、プロセッサ１２００が代表となる１つまたは複数のプロセッサ及びメモリ１２２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。送受信機１２１０は、複数の部品であることができ、即ち、送信機及び受信機を備え、伝送媒体を介して他の装置と通信するユニットを提供する。プロセッサ１２００は、バスアーキテクチャ及び通常の処理を監視し、メモリ１２２０は、プロセッサ１２００が動作する際に利用するデータを記憶することができる。
【０１５９】
以下、パーシステントスケジューリング可能なリソースにおいて、データを伝送する伝送装置を説明する。以下に端末を例としたが、ネットワーク装置である例えば基地局も当該案を採用することができる。実に、パーシステントスケジューリング可能なリソースのリストを有する装置であれば、当該案を実施することができる。
【０１６０】
図１３は端末構成図であり、図に示すように、端末は、メモリ１３２０に格納されたプログラムを読み出すプロセッサ１３００と、プロセッサ１３００の制御によりデータを送信し、前記パーシステントスケジューリング可能なリソースにおいてデータを伝送する送受信機１３１０とを備える。
【０１６１】
前記プロセッサ１３００は、パーシステントスケジューリング可能なリソースのリストを決定する。前記パーシステントスケジューリング可能なリソースのリストには、各々パーシステントスケジューリング可能なリソースとＴＴＩ長及び/またはチャネル状況のマッピング関係が含まれる。
【０１６２】
また、データ伝送に必要となるＴＴＩ長及び/またはチャネル状況を決定した後、前記パーシステントスケジューリング可能なリソースのリスト内のマッピング関係により、パーシステントスケジューリング可能なリソースを決定する。 
【０１６３】
実施中、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、各々ＴＴＩ長は、ネットワーク側により、準静的または動的に設定される。
【０１６４】
実施中、前記チャネル状況は、以下のように決定される。
【０１６５】
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定する。
【０１６６】
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定する。
【０１６７】
実施中、前記チャネル状況は、以下のように決定される。
【０１６８】
受信端において、送信端へのチャネル品質測定により決定し、送信端において、受信端からの、送信端へのチャネル測定に対するフィードバックにより決定する。
【０１６９】
または、受信端において、送信端へのチャネル品質測定により決定し、送信端において、受信端へのチャネル品質測定により、チャネル相反性に基づいて決定する。
【０１７０】
実施中、パーシステントスケジューリング可能なリソースそれぞれに以下内容のうちの１つまたはこれらの組み合わせが含まれ、
伝送方向と、周期と、リソース位置と、ＭＣＳフォーマットと、活性化条件とのうちの１つまたはこれらの組み合わせが含まれる。
【０１７１】
図１３において、バスアーキテクチャは、いずれ数の相互接続するバス及びブリッジを備える。具体的に、プロセッサ１３００が代表となる１つまたは複数のプロセッサ及びメモリ１３２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。送受信機１３１０は、複数の部品であることができ、即ち、送信機及び受信機を備え、伝送媒体を介して他の装置と通信するユニットを提供する。異なるＵＥに対し、ユーザーインタフェース１３３０は、外部接続または内部接続に必要な設備のインタフェースであることもできる。接続する設備は、キーパッド、ディスプレー、スピーカー、マイクロホン、ジョイスティック等を備えるが、これに限られない。
【０１７２】
プロセッサ１３００は、バスアーキテクチャ及び通常の処理を監視し、メモリ１３２０は、プロセッサ１３００が動作する際に利用するデータを記憶することができる。
【０１７３】
要約すると、本発明に係る実施例の技術案は、ネットワーク側では、端末にパーシステントスケジューリング可能なリソースのリストを割り当て、スケジューリングリソースされたリソースそれぞれの占有、伝送フォーマットは、利用可能なＴＴＩ長及び/またはチャネル状況と関連する。送信端により、チャネル状況を推測して、パケット伝送のためのリソースを選択するか、または、伝送時刻のＴＴＩ長に従って、パーシステントスケジューリング伝送に用いられるリソースを選択する。
【０１７４】
さらに、パーシステントスケジューリング可能なリソースのリストを提供し、ＴＴＩ長やチャネル品質、または、ＴＴＩ長とチャネル品質により、リソースを決定する。本発明によれば、可変ＴＴＩ長下パーシステントスケジューリング可能なリソースを有効に割り当てることができる。
【０１７５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１７６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１７７】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１７８】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１７９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１８０】
本出願は、２０１６年２月１９日に中国特許局に提出し、出願番号が２０１６１００９４４５１.５であり、発明名称が「パーシステントスケジューリング可能なリソースの割り当て及びリソースにおけるデータ伝送方法及び」との中国特許出願を基礎とする優先権を主張し、その開示の総てをここに取り込む。
【符号の説明】
【０１８１】
１００１  生成モジュール
１００２  送信モジュール
１１０１  割り当てリスト決定モジュール
１１０２  リソース決定モジュール
１１０３  伝送モジュール
１２００  プロセッサ
１２１０  送受信機
１２２０  メモリ
１３００  プロセッサ
１３１０  送受信機
１３２０  メモリ
１３３０  ユーザーインタフェース
【図１】
2019509675.tif 000005
【図２】
2019509675.tif 000006
【図３】
2019509675.tif 000007
【図４】
2019509675.tif 000008
【図５】
2019509675.tif 000009
【図６】
2019509675.tif 000010
【図７】
2019509675.tif 000011
【図８】
2019509675.tif 000012
【図９】
2019509675.tif 000013
【図１０】
2019509675.tif 000014
【図１１】
2019509675.tif 000015
【図１２】
2019509675.tif 000016
【図１３】
2019509675.tif 000017
【手続補正書】
【提出日】平成30年8月17日(2018.8.17)
【手続補正２】
【補正対象書類名】明細書
【補正対象項目名】０００１
【補正方法】変更
【補正の内容】
【０００１】
本発明は無線通信技術分野に関し、特にパーシステントスケジューリング可能なリソースの割り当て及び当該リソースにおけるデータ伝送方法及び装置に関する。
【手続補正３】
【補正対象書類名】明細書
【補正対象項目名】００１５
【補正方法】変更
【補正の内容】
【００１５】
本発明は、パーシステントスケジューリング可能なリソースの割り当て及び当該リソースにおけるデータ伝送方法及び装置を提供し、可変ＴＴＩ的フレーム構成において、パーシステントスケジューリング可能なリソース割り当て、及びデータ伝送の案を提供する。
【手続補正４】
【補正対象書類名】明細書
【補正対象項目名】０１８０
【補正方法】変更
【補正の内容】
【０１８０】
本出願は、２０１６年２月１９日に中国特許局に提出し、出願番号が２０１６１００９４４５１.５であり、発明名称が「パーシステントスケジューリング可能なリソースの割り当て及び当該リソースにおけるデータ伝送方法及び」との中国特許出願を基礎とする優先権を主張し、その開示の総てをここに取り込む。
【手続補正５】
【補正対象書類名】特許請求の範囲
【補正対象項目名】全文
【補正方法】変更
【補正の内容】
【特許請求の範囲】
【請求項１】
端末のためにパーシステントスケジューリング可能なリソースのリストを生成するステップと、
前記パーシステントスケジューリング可能なリソースのリストを端末に送信するステップとを備え、
前記パーシステントスケジューリング可能なリソースのリストには、パーシステントスケジューリング可能なリソースと伝送時間間隔（ＴＴＩ）長及び/またはチャネル状況のマッピング関係が含まれることを特徴とするパーシステントスケジューリング可能なリソースの割り当て方法。
【請求項２】
異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定することを特徴とする請求項１に記載のパーシステントスケジューリング可能なリソースの割り当て方法。
【請求項３】
前記パーシステントスケジューリング可能なリソースのリストを端末に送信するステップは、
ユニキャストモードで、端末に、前記パーシステントスケジューリング可能なリソースのリストそれぞれを送信し、または、
１つまたは複数の制御命令により、１グループの端末に、前記パーシステントスケジューリング可能なリソースのリストを送信することを特徴とする請求項１に記載のパーシステントスケジューリング可能なリソースの割り当て方法。
【請求項４】
パーシステントスケジューリング可能なリソースそれぞれには、伝送方向と、周期と、リソース位置と、ＭＣＳＭＣＳフォーマットと、活性化条件とのうちの１つまたはこれらの組み合わせが含まれることを特徴とする請求項１ないし請求項３のいずれか１項に記載のパーシステントスケジューリング可能なリソースの割り当て方法。
【請求項５】
パーシステントスケジューリング可能なリソースのリストを決定するステップと、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定するステップと、
前記パーシステントスケジューリング可能なリソースにおいてデータを伝送するステップとを備え、
前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースにおけるデータ伝送の方法。
【請求項６】
パーシステントスケジューリング可能なリソース周期それぞれに対応する時刻に、前記パーシステントスケジューリング可能なリソースのリスト内のマッピング関係により、パーシステントスケジューリング可能なリソースを決定する場合、各々ＴＴＩ長は、ネットワーク側により、準静的または動的に設定されることを特徴とする請求項５に記載のパーシステントスケジューリング可能なリソースにおけるデータ伝送の方法。
【請求項７】
前記チャネル状況を、以下のように決定し、
ネットワーク側から端末へのダウンリンク伝送パーシステントスケジューリング可能なリソースを決定する場合、端末において、ダウンリンクチャネル品質（ＣＱＩ）により決定し、ネットワーク側において、端末からフィードバックされたＣＱＩにより決定し、または、ネットワーク側において、ネットワーク側では、端末から送信されたアップリンクパイロット信号またはアップリンク伝送のためのチャネル品質測定後に推測したダウンリンクチャネル品質により決定し、端末において、端末におけるダウンリンクチャネル品質測定により決定し、
端末からネットワーク側へのアップリンク伝送パーシステントスケジューリング可能なリソースを決定する場合、端末において、端末におけるダウンリンクチャネル品質測定後に推測したアップリンクチャネル品質により決定し、ネットワーク側において、端末からフィードバックされたＣＱＩにより決定し、または、端末において、端末におけるダウンリンクチャネル品質測定後に推測したアップリンクチャネル品質により決定し、ネットワーク側において、ネットワーク側では、端末から送信されたアップリンクパイロット信号またはアップリンク伝送のためのチャネル品質測定により決定し、または、端末において、ネットワーク側では、端末から送信されたアップリンクパイロット信号またはアップリンク伝送のためのアップリンクチャネル品質測定後に端末へのフィードバックにより決定し、ネットワーク側において、ネットワーク側では、端末から送信されたアップリンクパイロット信号またはアップリンク伝送のためのチャネル品質測定により決定することを特徴とする請求項５に記載のパーシステントスケジューリング可能なリソースにおけるデータ伝送の方法。
【請求項８】
パーシステントスケジューリング可能なリソースそれぞれに、伝送方向と、周期と、リソース位置と、ＭＣＳフォーマットと、活性化条件とのうちの１つまたはこれらの組み合わせが含まれることを特徴とする請求項５ないし請求項７のいずれか１項に記載のパーシステントスケジューリング可能なリソースにおけるデータ伝送の方法。
【請求項９】
端末のためにパーシステントスケジューリング可能なリソースのリストを生成する生成モジュールと、
前記パーシステントスケジューリング可能なリソースのリストを端末に送信する送信モジュールとを備え、
前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースの割り当て装置。
【請求項１０】
前記生成モジュールは、異なるＴＴＩ長に対する要求と、ＴＴＩ長のオプションと、パーシステントスケジューリング可能なリソースの割り当てのための無線インタフェースリソースとの要素のうちの１つまたはそれらの組み合わせにより、前記マッピング関係を決定することを特徴とする請求項９に記載のパーシステントスケジューリング可能なリソースの割り当て装置。
【請求項１１】
前記送信モジュールは、
ユニキャストモードで、端末に、前記パーシステントスケジューリング可能なリソースのリストそれぞれを送信し、または、
１つまたは複数の制御命令により、１グループの端末に、前記パーシステントスケジューリング可能なリソースのリストを送信することを特徴とする請求項９に記載のパーシステントスケジューリング可能なリソースの割り当て装置。
【請求項１２】
パーシステントスケジューリング可能なリソースそれぞれに伝送方向と、周期と、リソース位置と、ＭＣＳフォーマットと、活性化条件とのうちの１つまたはこれらの組み合わせが含まれることを特徴とする請求項９ないし請求項１１のいずれか１項に記載のパーシステントスケジューリング可能なリソースの割り当て装置。
【請求項１３】
パーシステントスケジューリング可能なリソースのリストを決定する割り当てリスト決定モジュールと、
データ伝送に必要となるＴＴＩ長及び/またはチャネル状況を決定した後、前記パーシステントスケジューリング可能なリソースのリスト内のマッピング関係により、パーシステントスケジューリング可能なリソースを決定するリソース決定モジュールと、
前記パーシステントスケジューリング可能なリソースにおいてデータを伝送する伝送モジュールとを備え、
前記パーシステントスケジューリング可能なリソースのリストには、各々パーシステントスケジューリング可能なリソースとＴＴＩ長及び/またはチャネル状況のマッピング関係が含まれることを特徴とするパーシステントスケジューリング可能なリソースにおいてデータを伝送する装置。
【請求項１４】
前記リソース決定モジュールは、パーシステントスケジューリング可能なリソース周期それぞれに対応する時刻に、前記パーシステントスケジューリング可能なリソースのリスト内のマッピング関係により、パーシステントスケジューリング可能なリソースを決定する場合、ネットワーク側により準静的または動的な構成した各々ＴＴＩ長を用いることを特徴とする請求項１３に記載のパーシステントスケジューリング可能なリソースにおいてデータを伝送する装置。
【請求項１５】
パーシステントスケジューリング可能なリソースそれぞれに、伝送方向と、周期と、リソース位置と、ＭＣＳフォーマットと、活性化条件とのうちの１つまたはこれらの組み合わせが含まれることを特徴とする請求項１２または請求項１３に記載のパーシステントスケジューリング可能なリソースにおいてデータを伝送する装置。
【国際調査報告】
2019509675.tif 000018
2019509675.tif 000019
2019509675.tif 000020
2019509675.tif 000021